(57)【特許請求の範囲】
【請求項１】
上下方向かつ水平方向に延びて水中に設けられ、相隣る両水域を仕切る拡散防止膜と、水上側に設けられ、上記拡散防止膜を吊り下げるようこの拡散防止膜の上縁部を支持する支持体とを備えた水中における汚濁水の拡散防止装置において、
上記拡散防止膜が、通水性を有し、上縁部が上記支持体に支持される網体である拡散防止膜芯材と、上記両水域のうち、汚濁水域側の上記拡散防止膜の面に沿って延び、下部側が上記拡散防止膜への直交方向に向かって揺動可能となるよう上縁部が上記拡散防止膜芯材に取り付けられる膜体とを備えたことを特徴とする水中における汚濁水の拡散防止装置。
【請求項２】
上記膜体を上下方向で複数枚設けたことを特徴とする請求項１に記載の水中における汚濁水の拡散防止装置。
【請求項３】
上下方向で互いに隣り合う上、下膜体のうち、上側の膜体の下縁部を下側の膜体の上縁部にその外方から重ね合わせたことを特徴とする請求項２に記載の水中における汚濁水の拡散防止装置。
【請求項４】
上記拡散防止膜芯材の網目を貫通する連結具により上記拡散防止膜芯材に上記膜体の上縁部を取り付けたことを特徴とする請求項１から３のうちいずれか１つに記載の水中における汚濁水の拡散防止装置。
【発明の詳細な説明】
【技術分野】
【０００１】
本発明は、海、湖、河川の埋立や浚渫地などの水域で生じる汚濁水が、これに隣接する他の水域に拡散しようとすることを防止する水中における汚濁水の拡散防止装置に関するものである。
【背景技術】
【０００２】
上記拡散防止装置には、従来、下記特許文献１に示されるものがある。この公報のものによれば、上記拡散防止装置は、上下方向かつ水平方向に延びて水中に設けられる拡散防止膜と、水面上に設けられ、上記拡散防止膜を吊り下げるようこの拡散防止膜の上縁部を支持する浮体とを備えている。
【０００３】
上記拡散防止膜で仕切られた両水域のうち、一方の水域が埋立などにより汚濁水が生じる汚濁水域とされ、他方の水域が清浄水域とされる。そして、上記汚濁水域から清浄水域に汚濁水が流動して拡散し、この清浄水域を汚損させる、ということは、上記拡散防止膜により防止される。
【特許文献１】実開平５−３８０２８号公報
【発明の開示】
【発明が解決しようとする課題】
【０００４】
ところで、上記拡散防止膜で仕切られた両水域のうち、上記した清浄水域から汚濁水域に向けて水が流動しようとする場合がある。この場合、このように流動する水は、汚濁水域の汚濁水を清浄水域に拡散させるものではないことから、上記水の流動はある程度許容可能とされる。
【０００５】
しかし、上記従来の技術の拡散防止膜は上記した水の流動を単に阻止するよう働くため、上記拡散防止膜は、上記した水から無用な外力を与えられ、早期に損傷するおそれを生じる。つまり、上記従来の技術では、拡散防止装置に寿命上の問題点が生じるおそれがある。
【課題を解決するための手段】
【０００６】
本発明は、上記のような事情に注目してなされたもので、本発明の目的は、相隣る両水域を仕切り、これら両水域のうち、一方の汚濁水域から他方の清浄水域に向かって汚濁水が拡散することを防止する拡散防止膜を備えた拡散防止装置に関し、この拡散防止装置の寿命を向上させるようにすることである。
【０００７】
請求項１の発明は、上下方向かつ水平方向に延びて水中に設けられ、相隣る両水域２，３を仕切る拡散防止膜７と、水上側に設けられ、上記拡散防止膜７を吊り下げるようこの拡散防止膜７の上縁部を支持する支持体９とを備えた水中における汚濁水の拡散防止装置において、
上記拡散防止膜７が、通水性を有し、上縁部が上記支持体９に支持される網体である拡散防止膜芯材２０と、上記両水域２，３のうち、汚濁水域２側の上記拡散防止膜７の面に沿って延び、下部側が上記拡散防止膜７への直交方向に向かって揺動Ａ可能となるよう上縁部が上記拡散防止膜芯材２０に取り付けられる膜体２４とを備えたことを特徴とする水中における汚濁水の拡散防止装置である。
【０００８】
請求項２の発明は、上記膜体２４を上下方向で複数枚設けたことを特徴とする請求項１に記載の水中における汚濁水の拡散防止装置である。
【０００９】
請求項３の発明は、上下方向で互いに隣り合う上、下膜体２４，２４のうち、上側の膜体２４の下縁部を下側の膜体２４の上縁部にその外方から重ね合わせたことを特徴とする請求項２に記載の水中における汚濁水の拡散防止装置である。
【００１０】
請求項４の発明は、上記拡散防止膜芯材２０の網目２１を貫通する連結具２３により上記拡散防止膜芯材２０に上記膜体２４の上縁部を取り付けたことを特徴とする請求項１から３のうちいずれか１つに記載の水中における汚濁水の拡散防止装置である。
【００１１】
なお、この項において、上記各用語に付記した符号や図面番号は、本発明の技術的範囲を後述の「実施例」の項や図面の内容に限定解釈するものではない。
【発明の効果】
【００１２】
本発明による効果は、次の如くである。
【００１３】
請求項１の発明は、上下方向かつ水平方向に延びて水中に設けられ、相隣る両水域を仕切る拡散防止膜と、水上側に設けられ、上記拡散防止膜を吊り下げるようこの拡散防止膜の上縁部を支持する支持体とを備えた水中における汚濁水の拡散防止装置において、
上記拡散防止膜が、通水性を有し、上縁部が上記支持体に支持される網体である拡散防止膜芯材と、上記両水域のうち、汚濁水域側の上記拡散防止膜の面に沿って延び、下部側が上記拡散防止膜への直交方向に向かって揺動可能となるよう上縁部が上記拡散防止膜芯材に取り付けられる膜体とを備えている。
【００１４】
このため、上記拡散防止膜で仕切られた両水域のうち、一方の汚濁水域から他方の清浄水域に向かって汚濁水が流動しようとするときには、この汚濁水からの外力により上記膜体は上記拡散防止膜芯材側に揺動して、この拡散防止膜芯材の各網目を閉じる。よって、上記汚濁水域から清浄水域に汚濁水が流動して拡散する、ということは防止され、この汚濁水による清浄水域の汚損は防止される。
【００１５】
一方、上記清浄水域から汚濁水域に向かって水が流動しようとするときは、この流動で上記拡散防止膜芯材の各網目を通過した水からの外力により、上記膜体は上記拡散防止膜芯材から離れる方向に揺動し、上記各網目を開く。よって、上記水は上記拡散防止膜芯材の各網目を通過することにより、上記清浄水域から汚濁水域に向かって流動する。ここで、このような水の流動は、清浄水域に汚濁水を拡散するものではなく、何ら支障はない。
【００１６】
そして、上記したように、清浄水域から汚濁水域への水の流動時には、この水からの外力により上記膜体は上記拡散防止膜芯材から離れる方向に揺動して、膜体に上記外力が大きく与えられる、ということは防止されるため、上記外力に基づき膜体に大きい応力が生じることは防止される。よって、その分、膜体が上記水からの外力で早期に損傷させられる、ということは防止されて、拡散防止装置の寿命の向上が達成される。
【００１７】
請求項２の発明は、上記膜体を上下方向で複数枚設けている。
【００１８】
このため、清浄水域の上下方向で、この清浄水域から汚濁水域に向かう水流の外力の大きさに差がある場合には、水流の外力の大きいところに対応する膜体のみが上記拡散防止膜芯材から離れる方向に揺動し、他の膜体は上記拡散防止膜芯材の各網目を閉じた状態に保つ。よって、上記清浄水域の水からの外力により膜体が無用に損傷させられる、ということはより確実に防止されると共に、汚濁水域から清浄水域への汚濁水の流動もより確実に防止されて、この汚濁水による清浄水域の汚損は防止される。
【００１９】
請求項３の発明は、上下方向で互いに隣り合う上、下膜体のうち、上側の膜体の下縁部を下側の膜体の上縁部にその外方から重ね合わせている。
【００２０】
このため、上、下膜体の間に隙間が生じることが防止される。よって、汚濁水域から清浄水域への汚濁水の流動は更に確実に防止されて、この汚濁水による清浄水域の汚損は更に確実に防止される。
【００２１】
請求項４の発明は、上記拡散防止膜芯材を網体の網目を貫通する連結具により上記拡散防止膜芯材に上記膜体の上縁部を取り付けている。
【００２２】
このため、上記拡散防止膜芯材に膜体を取り付ける場合に、上記拡散防止膜芯材の網目が利用されたのであり、よって、その分、上記膜体の取付構成を簡単にできる。
【００２３】
また、上記拡散防止膜芯材に対し複数の膜体を設けた場合に、仮にこれらの膜体の大きさが一定しなくても、上記拡散防止膜芯材が有する多くの網目のうち所望の網目を選択してその網目に上記連結具を貫通させることにより、上記膜体を上記拡散防止膜芯材の所望位置に容易に取り付けることができる。よって、上記各膜体の大きさの自由度が向上すると共に、拡散防止膜芯材への取り付け位置の自由度が向上して、所望構造の拡散防止膜を容易に得ることができる。
【発明を実施するための最良の形態】
【００２４】
本発明の水中における汚濁水の拡散防止装置に関し、相隣る両水域を仕切り、これら両水域のうち、一方の汚濁水域から他方の清浄水域に向かって汚濁水が拡散することを防止する拡散防止膜を備えた拡散防止装置に関し、この拡散防止装置の寿命を向上させるようにする、という目的を実現するため、本発明を実施するための最良の形態は、次の如くである。
【００２５】
即ち、水中における汚濁水の拡散防止装置は、上下方向かつ水平方向に延びて水中に設けられ、相隣る両水域を仕切る拡散防止膜と、水上側に設けられ、上記拡散防止膜を吊り下げるようこの拡散防止膜の上縁部を支持する支持体とを備える。上記拡散防止膜が、通水性を有し、上縁部が上記支持体に支持される網体である拡散防止膜芯材と、上記両水域のうち、汚濁水域側の上記拡散防止膜の面に沿って延び、下部側が上記拡散防止膜への直交方向に向かって揺動可能となるよう上縁部が上記拡散防止膜芯材に取り付けられる膜体とを備える。
【実施例１】
【００２６】
本発明をより詳細に説明するために、その実施例１を添付の図１〜４に従って説明する。
【００２７】
図１〜４において、符号１は全体として海等の水域であり、２は上記水域１のうち、埋立地等の汚濁水が発生する汚濁水域、３は上記水域１のうち、上記汚濁水域２に隣接する他の清浄な清浄水域である。
【００２８】
上記汚濁水域２と清浄水域３とを仕切り、上記汚濁水域２で生じる汚濁水が上記清浄水域３に拡散しようとすることを防止する水中における汚濁水の拡散防止装置４が設けられている。この拡散防止装置４は、上下方向かつ水平方向に延びて水中に設けられ、上記した相隣る両水域２，３を仕切る拡散防止膜７と、水上側に設けられ、上記拡散防止膜７を吊り下げるようこの拡散防止膜７の上縁部を支持する支持体９と、上記拡散防止膜７の下縁部に取り付けられて、この拡散防止膜７に下方に向かう引張力を与えると共に、この拡散防止膜７が水流によって大きくは傾斜しないよう下方に向かう外力を与える重り１０と、図示しないが上記拡散防止膜７や支持体９が上記水域１を自由に移動しないよう、この支持体９を主に浚渫船などの作業船に係留する係留装置とを備えている。
【００２９】
上記拡散防止膜７と支持体９とは、拡散防止装置４の平面視で、矩形の枠形状となるよう配置され、相隣る上記拡散防止膜７，７同士は、上記重り１０が取り付けられた樹脂製の連結板１１により互いに隙間なく連結されている。また、相隣る上記支持体９，９同士もそれぞれ互いに隙間なく連結されている。上記拡散防止膜７および支持体９で囲まれた水域が、バケットなどの機器１３により埋立や浚渫などが行われる汚濁水域２とされている。
【００３０】
上記支持体９は、水域１の水面に浮く浮体とされている。この支持体９は、平面視で、矩形枠状に形成されて、水面に浮く鋼管製や樹脂製の管材１５と、この管材１５の下面から下方に突出する支持片１７とを備えている。
【００３１】
上記拡散防止膜７は可撓性かつ通水性を有する拡散防止膜芯材２０を備えている。この拡散防止膜芯材２０は、上下方向かつ水平方向に延びて、上記支持体９の下方の水中に設けられている。また、この拡散防止膜芯材２０は、上縁部が上記支持体９の支持片１７に連結されて支持され、下縁部に上記重り１０が取り付けられている。
【００３２】
上記拡散防止膜芯材２０は、ジオシンセティック（もしくはジオグリッド）といわれるもので、ポリエステル（ＰＥＴ）等の繊維製の網体と、この網体の外面にコーティングされる塩化ビニール（ＰＶＣ）等の樹脂製の表皮とを備えている。また、この表皮には耐候性を向上させるため、カーボンが含有されている。上記拡散防止膜芯材２０の網を形成する紐の太さは１〜３ｍｍ程度であり、また、この拡散防止膜芯材２０の網目２１は１辺が５〜１０ｍｍ程度の四角形をなし、碁盤目状に形成されている。
【００３３】
また、上記拡散防止膜７は、上記拡散防止膜芯材２０における汚濁水域２側の面に連結具２３により着脱可能に取り付けられる膜体２４を備えている。この膜体２４は、上記拡散防止膜芯材２０の上記汚濁水域２側の面に沿って延び、上下方向かつ水平方向でそれぞれ複数枚設けられている。上記各膜体２４は互いに同形同大で矩形状をなし、それぞれ下部側が上記拡散防止膜７への直交方向に向かって揺動Ａ可能となるよう上縁部が上記拡散防止膜芯材２０に上記連結具２３により取り付けられている。
【００３４】
上記各膜体２４は、上記連結具２３により拡散防止膜芯材２０にそれぞれ個別に着脱可能に取り付けられている。また、上下方向で互いに隣り合う上、下膜体２４，２４のうち、上側の膜体２４の下縁部は、下側の膜体２４の上縁部およびこの上縁部を拡散防止膜芯材２０に取り付けている各連結具２３にその外方から重ね合わされている。上記膜体２４は、可撓性の樹脂製シートや合成繊維で形成されている。
【００３５】
上記連結具２３は、公知のもので、上記拡散防止膜芯材２０におけるいずれか所望の網目２１と各膜体２４の上縁部に形成された孔２６とを貫通する軸部２７と、この軸部２７の軸方向の一端部に一体的に形成される鍔部２８と、上記軸部２７の他端部からその径方向で互いに反対方向に突出するようこの他端部に一体的に形成される一対の係止片２９，２９と、上記軸部２７に上記鍔部２８側から嵌入される操作ピン３０とを備えている。上記したように連結具２３の軸部２７が上記拡散防止膜芯材２０の網目２１と膜体２４の孔２６とを貫通し、上記鍔部２８と各係止片２９とが上記拡散防止膜芯材２０と膜体２４とを上記軸方向で挟むことにより、上記拡散防止膜芯材２０に膜体２４が取り付けられている（図４中実線）。
【００３６】
上記両係止片２９を互いに接近させるよう加圧すれば、これら各係止片２９は上記軸部２７に対し回動可能であり、これにより、上記各係止片２９は上記軸部２７の軸方向に延びるよう互いに当接する（図４中二点鎖線）。この状態のまま、上記連結具２３を上記軸方向で上記鍔部２８の外方に向かうよう上記拡散防止膜芯材２０から離反させれば、上記連結具２３の軸部２７と各係止片２９とは、上記網目２１と孔２６とから抜き出され、上記拡散防止膜芯材２０に対する膜体２４の取り付けが解除される（図４中一点鎖線）。上記拡散防止膜芯材２０に膜体２４を取り付ける場合には、上記とは逆の手順によればよく、上記両係止片２９を元の姿勢に積極的に戻すには、上記操作ピン３０を操作して、この操作ピン３０により上記両係止片２９を押動してやればよい。
【００３７】
上記構成によれば、拡散防止膜７が、通水性を有し、上縁部が上記支持体９に支持される拡散防止膜芯材２０と、上記両水域２，３のうち、汚濁水域２側の上記拡散防止膜７の面に沿って延び、下部側が上記拡散防止膜７への直交方向に向かって揺動Ａ可能となるよう上縁部が上記拡散防止膜芯材２０に取り付けられる膜体２４とを備えている。
【００３８】
このため、上記拡散防止膜７で仕切られた両水域２，３のうち、一方の汚濁水域２から他方の清浄水域３に向かって汚濁水が流動しようとするときには、この汚濁水からの外力により上記各膜体２４は上記拡散防止膜芯材２０側に揺動Ａして、この拡散防止膜芯材２０の各網目２１を閉じる（図１中実線）。よって、上記汚濁水域２から清浄水域３に汚濁水が流動して拡散する、ということは防止され、この汚濁水による清浄水域３の汚損は防止される。
【００３９】
一方、上記清浄水域３から汚濁水域２に向かって水が流動しようとするときは、この流動で上記拡散防止膜芯材２０の各網目２１を通過した水からの外力により上記各膜体２４は上記拡散防止膜芯材２０から離れる方向に揺動Ａし、上記各網目２１を開く（図１，３中二点鎖線）。よって、上記水は上記拡散防止膜芯材２０の各網目２１を通過することにより、上記清浄水域３から汚濁水域２に向かって流動する。ここで、このような水の流動は、清浄水域３に汚濁水を拡散するものではなく、何ら支障はない。
【００４０】
そして、上記したように、清浄水域３から汚濁水域２への水の流動時には、この水からの外力により上記各膜体２４は上記拡散防止膜芯材２０から離れる方向に揺動Ａして、これら各膜体２４に上記外力が大きく与えられる、ということは防止されるため、上記外力に基づき各膜体２４に大きい応力が生じることは防止される。よって、その分、膜体２４が上記水からの外力で早期に損傷させられる、ということは防止されて、拡散防止装置４の寿命の向上が達成される。
【００４１】
また、上記したように、清浄水域３から汚濁水域２に向かって水が流動するときには、上記各膜体２４は揺動して各網目２１を開き、これら各網目２１を水が通過する（図１，３中二点鎖線）。このため、上記拡散防止膜７が上記水から与えられる外力は小さく抑制されることから、この拡散防止膜７はその下部側が上記汚濁水域２側に向かって大きく変位し、仮想垂線に対し大きく傾斜する、ということは防止される。
【００４２】
よって、上記汚濁水域２において、例えば、上記機器１３を用い浚渫などの作業をしている場合において、上記したように拡散防止膜７が大きく傾斜することにより、この拡散防止膜７の下部側が上記機器１３に接触するなど干渉する、ということは防止される。このため、上記拡散防止膜７と機器１３との水平方向での間隔を、より狭くさせることができ、つまり、汚濁水域２を囲む拡散防止装置４をできるだけ小さくさせることができて有益である。
【００４３】
また、前記したように、膜体２４を上下方向で複数枚設けている。
【００４４】
このため、清浄水域３の上下方向で、この清浄水域３から汚濁水域２に向かう水流の外力の大きさに差がある場合には、水流の外力の大きいところに対応する膜体２４のみが上記拡散防止膜芯材２０から離れる方向に揺動Ａし、他の膜体２４は上記拡散防止膜芯材２０の各網目２１を閉じた状態に保つ。よって、上記清浄水域３の水からの外力により膜体２４が無用に損傷させられる、ということはより確実に防止されると共に、汚濁水域２から清浄水域３への汚濁水の流動もより確実に防止されて、この汚濁水による清浄水域３の汚損は防止される。
【００４５】
また、前記したように、上下方向で互いに隣り合う上、下膜体２４，２４のうち、上側の膜体２４の下縁部を下側の膜体２４の上縁部にその外方から重ね合わせている。
【００４６】
このため、上、下膜体２４，２４の間に隙間が生じることが防止される。よって、汚濁水域２から清浄水域３への汚濁水の流動は更に確実に防止されて、この汚濁水による清浄水域３の汚損は更に確実に防止される。
【００４７】
また、前記したように、拡散防止膜芯材２０を網体とし、その網目２１を貫通する連結具２３により上記拡散防止膜芯材２０に上記膜体２４の上縁部を取り付けている。
【００４８】
このため、上記拡散防止膜芯材２０に膜体２４を取り付ける場合に、上記拡散防止膜芯材２０の網目２１が利用されたのであり、よって、その分、上記膜体２４の取付構成を簡単にできる。
【００４９】
また、上記拡散防止膜芯材２０に対し複数の膜体２４を設けた場合に、仮にこれらの膜体２４の大きさが一定しなくても、上記拡散防止膜芯材２０が有する多くの網目２１のうち所望の網目２１を選択してその網目２１に上記連結具２３を貫通させることにより、上記膜体２４を上記拡散防止膜芯材２０の所望位置に容易に取り付けることができる。よって、上記各膜体２４の大きさの自由度が向上すると共に、拡散防止膜芯材２０への取り付け位置の自由度が向上して、所望構造の拡散防止膜７を容易に得ることができる。
【００５０】
なお、以上は図示の例によるが、上記支持体９は、その外殻を構成し、水面に沿って長く延びる膜製の筒状体と、この筒状体に内嵌され、この筒状体の長手方向に複数列設される発泡スチロール製の浮体本体と、上記筒状体から下方に向かって突出する支持片１７とを備えるようにしてもよい。
【００５１】
また、上記拡散防止膜７と支持体９とが水平方向に延びる方向は湾曲していてもよい。また、上記支持体９は、陸側に張設されたワイヤーなどであってもよい。また、上記支持体９は水底や陸側に係留させてもよい。また、上記拡散防止膜芯材２０は網体に限定されることはなく、目の粗い布状のものであってもよい。また、上記拡散防止膜芯材２０の一部に上記のように揺動Ａする膜体２４を取り付け、他部には揺動Ａしないように膜体２４を取り付けてもよい。また、上記膜体２４の下端部に、揺動Ａを抑制する重りを取り付けてもよい。
【００５２】
以下の図５は、実施例２を示している。この実施例２は、前記実施例１と構成、作用効果において多くの点で共通している。そこで、これら共通するものについては、図面に共通の符号を付してその重複した説明を省略し、異なる点につき主に説明する。また、これら実施例における各部分の構成を、本発明の目的、作用効果に照らして種々組み合せてもよい。
【実施例２】
【００５３】
本発明をより詳細に説明するために、その実施例２を添付の図５に従って説明する。
【００５４】
図５において、上記支持体９は浮体とされる鋼管製の管材１５により形成されている。上記清浄水域３には、浚渫船である作業船３４が浮かべられ、この作業船３４はクレーン３５により吊り下げられたバケットである機器１３を備えている。上記支持体９は作業船３４に係留装置３６により係留されている。そして、上記支持体９にロープやシャックルなどの連結具３７により上記拡散防止膜７の拡散防止膜芯材２０が吊り下げられている。
【図面の簡単な説明】
【００５５】
【図１】実施例１を示し、図２のI−I線矢視断面一部破断図である。
【図２】実施例１を示し、拡散防止装置の斜視図である。
【図３】実施例１を示し、図２の部分拡大図である。
【図４】実施例１を示し、図１の部分拡大断面作用説明図である。
【図５】実施例２を示し、拡散防止装置の全体側面図である。
【符号の説明】
【００５６】
１    水域
２    汚濁水域
３    清浄水域
４    拡散防止装置
７    拡散防止膜
９    支持体
１０  重り
１１  連結板
２０  拡散防止膜芯材
２１  網目
２３  連結具
２４  膜体
Ａ    揺動
【図１】
0004911518.tif 000002
【図２】
0004911518.tif 000003
【図３】
0004911518.tif 000004
【図４】
0004911518.tif 000005
【図５】
0004911518.tif 000006